(57)【要約】【課題】上下顎歯牙の咬合関係を高精度に調整することができる歯科用咬合器を提供する。【解決手段】切歯指導板（４０）は、本体フレーム（４１）、当該本体フレームに対して軸支された台部（４２）、および側翼角調節機構を備えた左右側翼（４３）を備え、台部（４２）の上面が前方及び後方のいずれにも配向可能に構成された歯科用咬合器（１０）とする。例えば、切歯指導板（４０）は、その前後双方向（Ａ方向、Ｂ方向）において、下顎フレーム（２０）の前方端部に対して、取り付け可能である。【選択図】　　図１
2004136072.tif 000002
【特許請求の範囲】
【請求項１】
下顎模型を支持するための下顎フレームと、上顎模型を支持するための上顎フレームと、を備えた歯科用咬合器であって、
前記下顎フレームの後方端部には一対の脚部が備えられ、当該脚部には顆頭球が互いに対向して設けられており、前記下顎フレームの前方端部には切歯指導板が備えられ、
前記上顎フレームの後方端部には前記顆頭球の誘導機構が備えられ、前記上顎フレームの前方端部には前記切歯指導板の上面を接触滑走する切歯指導桿が備えられ、
前記切歯指導板は、本体フレーム、および当該本体フレームに対して軸支された台部を備え、
前記台部の上面が前方及び後方のいずれにも配向可能に構成されている歯科用咬合器。
【請求項２】
前記切歯指導板は、前記下顎フレームの前方端部に対して、当該切歯指導板の前後双方向において、取り付け可能であることにより、前記台部の上面が前方及び後方のいずれにも配向可能に構成されている請求項１記載の歯科用咬合器。
【請求項３】
さらに、上下顎模型のホルダを備えており、
当該ホルダに取り付けられた上顎模型と下顎模型の歯牙接触面積が最大となる場合における、前記切歯指導桿が前記台部の上面に接触する点を基点Ｏとしたとき、当該基点Ｏを中心として、前記台部が前記本体フレームに対して前後に回動可能であることにより、前記台部の上面が前方及び後方のいずれにも配向可能に構成されている請求項１記載の歯科用咬合器。
【請求項４】
前記顆頭球の誘導機構は、顆頭球の案内路からなり、
当該顆頭球の案内路を形成する後方端部側の後壁が肉薄となっている請求項１〜３のいずれかに記載の歯科用咬合器。
【請求項５】
後方端部に一対の脚部であって顆頭球が対向して設けられた脚部を備え、前方端部に切歯指導板を備えた下顎フレームと、
後方端部に前記顆頭球の誘導機構を備え、前方端部に前記切歯指導板の上面を接触滑走する切歯指導桿を備えた上顎フレームと、
を備えた歯科用咬合器であって、
前記下顎フレームの底部は、３つのスクリューによって３点支持されている歯科用咬合器。
【請求項６】
さらに、上下顎模型のホルダを備えており、
当該ホルダが水準器を備えることを特徴とする請求項５記載の歯科用咬合器。
【請求項７】
前記水準器は、内部の気泡の位置変化を示す目盛であって、水平である場合における当該気泡の位置を基準点とし、当該基準点を中心とする同心円状の測定目盛を少なくとも備える請求項６記載の歯科用咬合器。
【請求項８】
前記切歯指導桿の端部が３つの凸部を有している請求項１〜７の歯科用咬合器。
【請求項９】
さらに、リファレンス器具を備えており、
当該リファレンス器具は、上下位置目盛が設けられた支持棒と、当該支持棒に対して上下移動及び回転可能に支持されたポインタと、当該支持棒に固定されたマウンティングを備えており、
当該ポインタが、スライド及び回転することによって、ポインタの先端部の位置を自在に調節でき、
かつ、前記マウンティングが水準器を備えることを特徴とする請求項１記載の歯科用咬合器。
【発明の詳細な説明】
【０００１】
【発明の属する技術分野】
本発明は、歯科用咬合器に関し、特に、特定の切歯指導板と顆頭球誘導機構を備えた歯科用咬合器に関するものである。
【０００２】
【従来の技術】
歯科用咬合器は、患者の顎の形態の特徴に応じて咬合不正が生じないように、顎の動きを再現しながら調整して義歯等を製作する装置である。歯科用咬合器は、下顎模型が取り付けられる下顎フレームと、上顎模型が取り付けられる上顎フレームとを備える。下顎フレームの後方端部に設けられた脚部には、開閉機構（生体の顎関節部に相当する）を介して、上顎フレームが取り付けられる。
【０００３】
開閉機構は、下顎フレームの脚部に互いに対向して設けられた一対の顆頭球（生体の下顎頭に相当する）と、上顎フレームに設けられた顆頭球の案内路（生体の下顎窩に相当する）とによって構成されている。上顎フレームは、左右の顆頭球の中心を結ぶ線分を回転軸として開閉運動を行なう。前記顆頭球の案内路は、上顎フレームの後方端部にあり、上顎フレームの上面で規定される基準面に対し下方に向かって角度α（矢状顆路傾斜角）だけ傾斜した上壁と、後方端部側の後壁とから形成される。顆頭球は、上壁によって顆頭球案内路内を誘導される。
【０００４】
また、下顎フレームの前方端部には切歯指導板が設けられ、上顎フレームの前方端部には切歯指導板の上面を接触滑走する切歯指導桿が設けられており、上顎フレームと下顎フレームの間の垂直顎間距離を保持できるようになっている。切歯指導板は、本体フレームと、当該本体フレームに対して軸支された台部を備えており、台部は基準面に対し前方にのみ傾斜可能となっている。
【０００５】
【発明が解決しようとする課題】
図８に上顎模型の前歯１と下顎模型の前歯２との関係を模式的に示す。すなわち、咀嚼時の運動方向位を嵌合位、後方位、前方位、の３つに分類して図８に示す。
【０００６】
図８（ａ）は、上下の歯牙の接触面積が最大となる場合である。Ｏ１は、前歯１に対する前歯２の相対位置であり、これは、切歯指導桿が切歯指導板上面に接触する接触点が基点Ｏである場合に対応する。
【０００７】
図８（ｂ）は、咀嚼時に後方領域における歯牙及び顆頭球の運動方向位（後方運動領域）を示し、下顎模型の前歯２の位置はＲ１であり、Ｏ１の場合に比べて、前歯２が前歯１よりも相対的に後方に位置している。
【０００８】
図８（ｃ）は、咀嚼時に前方領域における歯牙及び顆頭球の運動方向位（前方運動領域）を示し、下顎模型の前歯２の位置はＡ１であり、Ｏ１の場合に比べて前歯２が前歯１よりも相対的に前方に位置している。
【０００９】
このように、上顎模型と下顎模型との関係は多様であるところ、従来の歯科用咬合器では、このようなＯ１からＡ１への調節及びＯ１からＲ１への調節を十分に行うことが困難であり、上下顎歯牙の咬合関係を高精度に調整することが困難であるという問題があった。
【００１０】
また、患者の顎の形態が多様であるため、上下顎模型に傾きが生じ易く、歯列の平面が水平面から傾いてしまう場合があり、このような場合には、上下顎歯牙の咬合関係を高精度に調整することが一層困難となっていた。
【００１１】
そこで、本発明は、上下顎歯牙の咬合関係を高精度に調整することができる歯科用咬合器を提供することを目的とするものである。
【００１２】
【課題を解決するための手段】
本発明による歯科用咬合器は、下顎模型を支持するための下顎フレームと、上顎模型を支持するための上顎フレームを備えた歯科用咬合器であって、前記下顎フレームの後方端部には一対の脚部が備えられ、当該脚部には顆頭球が互いに対向して設けられており、前記下顎フレームの前方端部には切歯指導板が備えられ、前記上顎フレームの後方端部には前記顆頭球の誘導機構が備えられ、前記上顎フレームの前方端部には前記切歯指導板の上面を接触滑走する切歯指導桿が備えられ、前記切歯指導板は、本体フレーム、および当該本体フレームに対して軸支された台部を備え、前記台部の上面が前方及び後方のいずれにも配向可能に構成されていることを特徴とする。
【００１３】
このように構成されているので、上述のＯ１からＡ１への調節及びＯ１からＲ１への調節を容易に精度よく行うことができ、上下顎歯牙の咬合関係を高精度に調整することができる。
【００１４】
前記切歯指導板は、側翼角調節機構を備えた左右側翼をさらに備えていることが好ましい。左右側翼は、例えば、前記台部に対して軸支されて備えられる。
【００１５】
前記切歯指導板は、前記下顎フレームの前方端部に対して、当該切歯指導板の前後双方向において、取り付け可能であることにより、前記台部の上面が前方及び後方のいずれにも配向可能に構成されていてもよい。
【００１６】
台部が前方にのみ傾斜可能に本体フレームに対して軸支されている場合において、台部を備える切歯指導板を下顎フレームの前方端部に対して前後逆方向に取り付け可能とすることにより、台部の上面を前方及び後方のいずれにも配向させることができるようになり、上下顎歯牙の咬合関係を高精度に調整することができる。
【００１７】
本発明の歯科用咬合器は、さらに、上下顎模型のホルダを備えており、当該ホルダに取り付けられた上顎模型と下顎模型の歯牙接触面積が最大となる場合における、前記切歯指導桿が前記台部の上面に接触する点を基点Ｏとしたとき、当該基点Ｏを中心として、前記台部が前記本体フレームに対して前後に回動可能であることにより、前記台部の上面が前方及び後方のいずれにも配向可能に構成されていてもよい。
【００１８】
台部を基点Ｏを中心として本体フレームに対して前後に回動可能とすることにより、台部の上面を前方及び後方のいずれにも配向させることができるようになり、上下顎歯牙の咬合関係を高精度に調整することができる。
【００１９】
本発明の歯科用咬合器は、台部をその前後の中央付近において本体フレームに対して軸支して構成してもよい。
【００２０】
前記顆頭球の誘導機構は、顆頭球の案内路からなり、当該顆頭球の案内路を形成する後方端部側の後壁が肉薄となっていてもよい。
【００２１】
このように、顆頭球案内路の後方端部側を肉薄とすることにより、顆頭球案内路が上顎フレームの後方部へ向けて拡張されるので、上述のＯ１からＡ１への調節及びＯ１からＲ１への調節を容易に精度よく行うことができ、上下顎歯牙の咬合関係を高精度に調整することができる。すなわち、咬合関係の微調整を行う際に、上弓と下弓が動きやすく、しかもハンドリングが良くなり、これにより技工サイドの製作において利便性に勝る咬合器を提供することができる。
【００２２】
また、本発明による歯科用咬合器は、後方端部に一対の脚部であって顆頭球が対向して設けられた脚部を備え、前方端部に切歯指導板を備えた下顎フレームと、後方端部に前記顆頭球の誘導機構を備え、前方端部に前記切歯指導板の上面を接触滑走する切歯指導桿を備えた上顎フレームと、を備えた歯科用咬合器であって、前記下顎フレームの底部は、３つのスクリューによって３点支持されていることを特徴とする。
【００２３】
このようにスクリューにより３点支持されているので、各スクリューをそれぞれ回して上下移動させることにより、歯列の平面がほぼ水平面と一致するように補正することができる。
【００２４】
本発明の歯科用咬合器は、さらに、上下顎模型のホルダを備えており、当該ホルダが水準器を備えていてもよい。
【００２５】
このように水準器を用いてスクリューを回すことにより、歯列の平面が精密に水平面と一致するように容易に補正することができる。水準器を用いることにより、患者に適用した際と同様に位置移動することができ同一条件下での調整作業が可能となる。
【００２６】
前記水準器は、内部の気泡の位置変化を示す目盛であって、水平である場合における当該気泡の位置を基準点とし、当該基準点を中心とする同心円状の測定目盛を少なくとも備えるものであってもよい。
【００２７】
前記切歯指導桿の端部が３つの凸部を有するように構成してもよい。
【００２８】
このように構成することにより、上下顎の歯牙の接触点のずれを防止でき、高精度に調整することができる。
【００２９】
本発明の歯科用咬合器は、さらに、リファレンス器具を備えており、当該リファレンス器具は、上下位置目盛が設けられた支持棒と、当該支持棒に対して上下移動及び回転可能に支持されたポインタと、当該支持棒に固定されたマウンティングを備えており、当該ポインタが、スライド及び回転することによって、ポインタの先端部の位置を自在に調節でき、かつ、前記マウンティングが水準器を備えていてもよい。
このように構成することにより、高精度に調整することができる。
【００３０】
【発明の実施の形態】
以下、本発明の実施の形態を、図面を参照しながら説明するが、本発明はこれらに限定されるものではない。
【００３１】
（第１の実施の形態）
図１は、実施形態１に係る歯科用咬合器の全体斜視図であり、図２は、上顎フレーム３０の右側側面図であり、図３は、図１において、下顎フレーム２０の前方端部へ切歯指導板４０を取り付ける状態を下方から見た図である。図４は、上下顎模型のホルダを取り付けた状態を示す図である。図１０（ａ）は、図２において、嵌め込み式ジグ３８と顆頭球２２との関係を下方から見た図である。
【００３２】
図１〜図３に示すように、歯科用咬合器１０は、下顎フレーム２０と、上顎フレーム３０を備えている。下顎フレーム２０の後方端部には一対の脚部２１が備えられ、この脚部２１には顆頭球２２が互いに対向して設けられている。上顎フレーム３０の後方端部には、嵌め込み式ジグ３８によって、顆頭球の案内路３１が形成されている。顆頭球案内路３１は、上顎フレーム３０の上面で規定される基準面に対し下方に向かって角度α（矢状顆路傾斜角）だけ傾斜した上壁４９と、後方端部側の後壁３３と、側壁１０３とから形成される。角度αは、目盛Ｇ（目盛は１°間隔で付されていることが望ましい。あるいは、５°間隔で付されていてもよい。）を備えている。
【００３３】
顆頭球２２は、上壁４９および側壁１０３によって誘導されながら、顆頭球案内路３１を図２中の矢印方向に移動できる。図２および図１０（ａ）に示すように、嵌め込み式ジグ３８の下方にはスリット１０２が備えられており、このスリット１０２を介して、ねじ１００により顆頭球２２を固定する。ねじ１００はスリット１０２の縦穴を移動可能となっている。ねじ１００は、その先端部で顆頭球２２を保持するとともに、ストッパー１０１によりスリット１０２を保持する、ダブルストッパー式となっている。
【００３４】
なお、図１０（ｂ）に示すように、側壁１０３が図１０（ａ）中矢印Ｘに示す方向に動くように構成し、所望の位置においてねじ１００により顆頭球２２を固定するようにしてもよい。このように構成すると、顆頭球２２を案内路３１に対して相対的に、案内路の進行方向のみならず左右（図１０（ａ）の矢印Ｐ）にも調節することができるので、咬合器上の限界運動をあらゆる方向に調節することができる。
【００３５】
下顎フレーム２０の前方端部には、切歯指導板４０が取り付けられている。切歯指導板４０は、支持部４６と、本体フレーム４１と、当該本体フレーム４１に対して軸支された台部４２と、側翼角調節機構を備えた左右側翼４３を備えている。支持部４６は、そのＡ部側が下顎フレーム２０の前方端部に対して取り付けられている。本体フレーム４１は支持部４６上に固定されている。本体フレーム４１においては、調節つまみ４４によって台部４２を前方に配向（傾斜）させるように基準面に対する傾斜角γを調節することができる。台部４２には、前方から見て左右対称に左右側翼４３が備えられており、左右側翼４３はそれぞれ調節つまみ４５によって基準面に対する側翼角δを調節することができるようになっている。
【００３６】
上顎フレーム３０の前方端部には、切歯指導板４０の上面（台部４２の上面）を接触滑走する切歯指導桿３２が設けられており、上顎フレーム３０と下顎フレーム２０の間の垂直顎間距離を保持できるようになっている。
【００３７】
実施形態１においては、切歯指導板４０の支持部４６が本体フレーム４１から前後に延出しており、指示部４６のＢ部側を下顎フレーム２０の前方端部に取り付けることも可能となっている点が特徴である。このように、切歯指導板４０が下顎フレーム２０に対して前後逆方向に取り付け可能な構造となっているので、台部４２の上面を前方及び後方のいずれにも配向させることができる。すなわち、図１のようにＡ部側を下顎フレーム２０に取り付ければ、台部４２の上面を前方に配向させることができ、一方、Ｂ部側を下顎フレーム２０に取り付ければ、台部４２の上面を後方に配向させることができる。
【００３８】
また、実施形態１の他の特徴点として、下顎フレーム２０は、スクリュー２３、２４、２５により３点支持されており、各スクリューをそれぞれを回すことにより上下移動させることにより、歯科用咬合器１０の基準面を自在に調節することができる。このように、下顎フレーム２０の底部をスクリューによる３点支持とし、換言すれば、歯科用咬合器１０をスクリューによる３点支持とし、各スクリューの回転によりスクリューを上下移動させて、各支持点における高さを容易に調節できるようにしたので、上下顎模型に傾きが生じ、歯列の平面が水平面からずれるような場合に、歯列の平面がほぼ水平面と一致するように容易に補正することができる。
【００３９】
さらに、歯科用咬合器１０に上顎模型のホルダ９０を取り付けた場合について、図４を参照して説明する。ホルダ９０は、脚部２１に連結されたアーム（上下顎模型のホルダ）９１と、アーム９１に固定支持される棒状体９２と、棒状体９２に固定支持され歯科用咬合器１０の中央へ向けて略Ｕ字に延びた上顎模型保持アーム９３からなる。上顎模型保持アーム９３には、周知の水準器９４が備えられている。なお、上顎模型については図示を省略してある。歯列の平面が水平面から傾いた場合には、水準器９４の測定結果を観察しながら、スクリュー２３、２４、２５をそれぞれ回して上下移動させることにより、歯列の平面が精密に水平面と一致するように補正することができる。すなわち、歯科用咬合器１０スクリュー２３、２４、２５を上下移動させることにより、歯科用咬合器１０の基準面を変化させ、その結果として、ホルダ９０に保持された上顎模型の歯列の平面の傾きを補正することができる。
【００４０】
前記水準器９４には、水準器の目盛を拡大するためのレンズが取り付けられていてもよい。このようにすると、ユーザーの視力が低下していても高精度に調整することができる。
【００４１】
さらに、図７に示すように、図２の嵌め込み式ジグ３８を、嵌め込み式ジグ７８に交換する。嵌め込み式ジグ７８は後方端部側の後壁７３が肉薄となっており、後壁７３、上壁４９、および側壁１０３により顆頭球案内路７１が形成されている。例えば、ジグ７８の後壁７８の厚みは、ジグ３８の後壁３３の厚みよりも、３ｍｍ〜５ｍｍ小さいことが好ましい。
【００４２】
この嵌め込み式ジグ７８に交換した場合には、切歯指導板４０の上面（台部４２の上面）を後方に配向させる。顆頭球案内路７１の後方端部側が肉薄となっており、顆頭球案内路７１が上顎フレーム３０の後方へ向けて拡張されることにより、上顎フレーム３０を下顎フレーム２０に対して相対的に前方に配置することが一層容易となる。すなわち、上述の図８におけるＯ１からＲ１への調節が一層容易となる。
【００４３】
なお、図１４に示すように、嵌め込み式ジグは、顆頭球案内路７１内を前後に移動可能であり当該移動によって顆頭球を前方から押える作用を有する前壁１１０を備えた嵌め込み式ジグ７８’であってもよい。
【００４４】
以下に、図８と図５を参照しながら実施形態１に係る歯科用咬合器１０の動作について説明する。
【００４５】
図５は、上顎フレーム３０の動きと切歯指導板４０および切歯指導桿３２の配置関係を模式的に示した図である。図８におけるＯ１、Ｒ１、Ａ１は、下顎模型の前歯２の上顎模型の前歯１に対する相対位置である。図５におけるＯ、Ｒ、Ａは切歯指導桿３２が切歯指導板４０上面に接触する接触点であり、図８（ａ）〜（ｃ）におけるＯ１、Ｒ１、Ａ１の場合にそれぞれ対応している。
【００４６】
図８（ｃ）、図５（ｂ）、図２に示すように、切歯指導板４０及び案内路３１を前方に配向させることにより、前方運動領域を再現することができ、接触点をＯからＡへ移動させることができる。一方、図８（ｂ）、図５（ａ）、図７に示すように、切歯指導板４０及び案内路７１を後方に配向させることにより、後方運動領域を再現することができ、接触点をＯからＲへ移動させることができる。このように、本発明による歯科用咬合器１０を用いれば、嵌め込み式ジグ３８及び７８を交換するとともに切歯指導板４０の配向方向を変えることにより、Ｏ１からＡ１への調節及びＯ１からＲ１への調節の双方を容易に精度よく行うことができ、上下顎歯牙の咬合関係を高精度に調整することができる。
【００４７】
上記においては、嵌め込み式ジグを交換することにより、案内路を形成する後方端部側の後壁が肉厚である場合（嵌め込み式ジグ３８）に前方運動領域を再現し、肉薄である場合（嵌め込み式ジグ７８）に後方運動領域を再現できるようにしたが、これに限定されず、肉薄の嵌め込み式ジグ７８を備えた咬合器（ジグは着脱可能であっても、着脱不可であっても、いずれでもよい）において、切歯指導板の配向方向を変えることによって前方運動領域の再現と後方運動領域の再現の双方を実現する場合も、本発明の実施形態である。
【００４８】
また、案内路を形成する後方端部側の後壁の厚みをねじ等によって増減できるように構成してもよい。
【００４９】
さらに、上記においては、アーム９１がこれに対してスライド又は回転により移動可能なポインタ２１０を備えており、ポインタ２１０の先端部を移動させて、前方基準点の位置を正確かつ容易に調整できるようにしてもよい。
【００５０】
あるいは、本願の歯科用咬合器は、図１６に示すようなリファレンス器具３００を備えていてもよい。図１６に示すように、リファレンス器具３００は、上下位置目盛２１２が設けられた支持棒２１１と、当該支持棒２１１に対して上下移動及び回転可能に支持されたポインタ２１０と、当該支持棒２１１に固定されたマウンティング２１３から構成される。マウンティング２１３には水準器９５が設けられている。マウンティング２１３を図１６中の矢印Ｍ方向に口の中に差し込み銜え、上顎前歯部若しくは下唇のドライウエットラインに合わせる。水準器９５を活用して水平状態を維持しながら、ポインタ２１０を上下に移動させて、支持棒２１１においてマウンティング２１３を基点０ｍｍとして、これから上方に各々の咬合器の種類に応じて設定された前方基準点までの数値に合わせ、ポインタ２１０の先端部が皮膚上に触れる点を前方基準点としてマーキングする。このようにして、ポインタ２１０の先端部を上下や左右に移動させて、前方基準点の位置を正確かつ容易に調整することができる。
【００５１】
リファレンス器具３００を用いて調整する場合において、右側中切歯（前歯）が欠損のときはポインタ２１０を移動させて左側中切歯を基準として調整することができる。また、上顎中切歯が欠損のときは、口角や下口唇のドライウェットラインを基準として調整することができる。さらに、ポインタ２１０を黄金分割比の顔面計測に使用することができる。
【００５２】
（第２の実施の形態）
図６は、実施形態２に係る歯科用咬合器における切歯指導板６０を表す図である。
【００５３】
図６に示すように、実施形態２に係る歯科用咬合器は、切歯指導板４０に代えて切歯指導板６０を備えた点のみが、実施形態１とは異なっている。なお、実施形態１と同様の部材については同一の符号を付し、その説明を省略する。
【００５４】
切歯指導板６０は、支持部６６と、本体フレーム６１と、当該本体フレーム６１に対して軸支された台部４２と、側翼角調節機構を備えた左右側翼４３を備えている。支持部６６は、その後方側が下顎フレーム２０の前方端部に対して取り付けられている。本体フレーム６１は支持部６６上に固定されている。図６（ａ）に示すように、本体フレーム６１は、調節つまみ６４によって台部４２を前方に配向（傾斜）させるように基準面に対する傾斜角γ（図６（ａ）中に示すように１°間隔で目盛が付されていることが好ましい）を調節することができる。また、図６（ｂ）に示すように、本体フレーム６１は、調節つまみ６４によって台部４２を後方に配向（傾斜）させるように基準面に対する傾斜角γを調節することができる。台部４２には、前方から見て左右対称に左右側翼４３が備えられており、左右側翼４３はそれぞれ調節つまみ６５によって基準面に対する側翼角を調節することができる。
【００５５】
実施形態２においては、台部４２が、基点Ｏを中心として本体フレーム６１に対して前後に回動できる点が特徴である。この基点Ｏは、取り付けられた上顎模型と下顎模型の歯牙接触面積が最大となる場合における、切歯指導桿３２が切歯指導板上面に接触する点（図５におけるＯ）である。
【００５６】
実施形態２においても、実施形態１と同様に、台部４２の上面が前方だけでなく後方にも配向できるので、Ｏ１からＡ１への調節及びＯ１からＲ１への調節の双方を容易に精度よく行うことができ、上下顎歯牙の咬合関係を高精度に調整することができる。
【００５７】
（第３の実施の形態）
図９は、実施形態３に係る歯科用咬合器の全体斜視図である。
【００５８】
図９に示すように、実施形態３に係る歯科用咬合器８０は、切歯指導板４０に代えて切歯指導板８１を備えた点のみが、実施形態１とは異なっている。なお、実施形態１と同様の部材については同一の符号を付し、その説明を省略する。
【００５９】
切歯指導板８１は、周知の切歯指導板であり、支持部８２と、本体フレーム４１と、台部４２と、左右側翼４３とを備えている。支持部８２は、本体フレーム４１から後方にのみ延出しており、台部４２は前方にのみ傾斜可能となっている。
【００６０】
実施形態３では、切歯指導板８１は周知の構成であるが、下顎フレーム２０の底部が３つのスクリュー２３、２４、２５によって３点支持されている点が特徴となっている。
【００６１】
実施形態１と同様に、実施形態３においても、スクリューにより３点支持されているので、各スクリューをそれぞれ回して上下移動させることにより、歯列の平面がほぼ水平面と一致するように補正することができる。また、水準器を用いてスクリューを回すことにより、歯列の平面が精密に水平面と一致するように容易に補正することができる。
【００６２】
（第４の実施の形態）
図１１は、実施形態４に係る歯科用咬合器の全体斜視図である。
【００６３】
図１１に示すように、実施形態４に係る歯科用咬合器１２０は、顆頭球案内路３１に代えてガイド部材３６により構成される顆頭球案内路３１’を備えた点のみが、実施形態１とは異なっている。なお、実施形態１と同様の部材については同一の符号を付し、その説明を省略する。
【００６４】
ガイド部材３６は、上顎フレーム３０’の後方端部に備えられ、顆頭球２２を前後に案内する顆頭球案内路３１’を構成する。ガイド部材３６も、後方端部側の後壁が肉薄となっており、顆頭球案内路３１’が上顎フレーム３０’の後方へ向けて拡張されている。ガイド部材３６を回転させることによって、顆頭球案内路３１’を前傾又は後傾させることができるようになっており、ガイド部材３６を適宜回転させた後は、ねじ３７、３９によって固定する。
【００６５】
実施形態４においても、顆頭球案内路３１’が上顎フレーム３０’の後方へ向けて拡張されているとともに、ガイド部材３６を回転させることによって顆頭球案内路３１’を前傾又は後傾させることができるので、上述のＯ１からＲ１への調節及びＯ１からＡ１への調節の双方を容易に精度よく行うことができ、上下顎歯牙の咬合関係を高精度に調整することができる。
【００６６】
（第５の実施の形態）
図１２及び図１３は、切歯指導桿３２の切歯指導板側の端部の形状を示す図であり、図１２（ａ）は実施形態１の場合の前方から見た図、図１２（ｂ）は側方から見た図、図１３（ａ）は実施形態５の場合の前方から見た図、図１３（ｂ）は側方から見た図である。
【００６７】
図１３（ａ）（ｂ）に示すように、実施形態５においては、端部が３つの鋭利な凸部ア、イ、ウを有する切歯指導桿３２’を用いた点のみが実施形態１と異なっている。切歯指導桿３２’は、凸部ア、イ、ウの先端部で切歯指導板４０の上面（台部４２の上面）に接している。凸部ア、ウの先端部は、台部４２に対して左右側翼４３の角度を調節する際に軸となる部位、すなわち、台部４２と左右側翼４３の交差部位にそれぞれ接しており、当該交差部位に沿って動くことができる。また、凸部ア、ウの先端部は、側方運動時に左右側翼４３上を接触滑走する。
【００６８】
このように構成することにより、図１２の場合に比べて、上下顎の歯牙の接触点のずれを防止でき、高精度に調整することができる。すなわち、図１２の場合に比べて、接触点での角度と寸法のずれを防止でき、各歯牙の構成要素を一層正確に調整することができる。凸部ア、イ、ウの先端部は鋭利であるので、上弓と下弓の高さに変化が生じることがなく、歯牙や歯牙の高さにくるいが生じることを防止することができ、上顎フレームと下顎フレームの間の垂直顎間距離を正確に保持することができる。また、上顎が上がった際でも上下顎の歯牙の接触点がずれることがなく、高精度に調整することができる。
なお、切歯指導桿の端部の鋭利な凸部は、図１３のような３つである場合に限られず、４つ以上であってもよい。
【００６９】
（第６の実施の形態）
実施形態６においては、水準器として図１５に示す水準器１９４を用いた点のみが実施形態１と異なっている。図１５（ａ）は水準器１９４を前方から見た図、図１５（ｂ）は上方から見た図である。
【００７０】
図１５（ａ）（ｂ）に示すように、水準器１９４は、内部の気泡１９５の位置変化を示す目盛であって、歯列の平面が水平である場合における当該気泡の位置を基準点Ｘとし、当該基準点Ｘを中心とする同心円状の測定目盛１９６と、歯列の平面の傾き方向を示す測定目盛１９７を備えている。
【００７１】
このように構成することにより、歯列の平面が水平である場合を基準点Ｘとして、上下顎模型を取り付ける位置を測定目盛１９６、１９７によって把握することができる。また、測定目盛１９６、１９７の値を記録しておき、スクリューを回転させて当該値となるように調整すれば、調整を一層容易かつ正確に再現することができる。
【００７２】
【発明の効果】
本発明の歯科用咬合器を用いれば、高精度かつ簡便に上下顎歯牙の咬合関係を調整することができる。
【図面の簡単な説明】
【図１】実施形態１に係る歯科用咬合器の全体斜視図である。
【図２】図１における上顎フレームの右側側面図である。
【図３】図１において、下顎フレームへ切歯指導板を取り付ける状態を下方から見た図である。
【図４】図１において、上下顎模型のホルダを取り付けた状態を示す図である。
【図５】上顎フレームの動きと切歯指導板および切歯指導桿の配置関係を模式的に示す図である。
【図６】実施形態２に係る歯科用咬合器における切歯指導板である。
【図７】実施形態１に係り、顆頭球案内路の後方端部側の後壁が肉薄である咬合器における上顎フレームの右側側面図である。
【図８】上顎模型の前歯と下顎模型の前歯との関係を模式的に示す図である。
【図９】実施形態３に係る歯科用咬合器の全体斜視図である。
【図１０】（ａ）は、図２において、嵌め込み式ジグと顆頭球との関係を下方から見た図であり、（ｂ）は側壁が動いた状態を模式的に示す図である。
【図１１】実施形態４に係る歯科用咬合器の全体斜視図である。
【図１２】実施形態１に係る切歯指導桿の切歯指導板側の端部の形状を示す図であり、（ａ）は前方から見た図、（ｂ）は側方から見た図である。
【図１３】実施形態５に係る切歯指導桿の切歯指導板側の端部の形状を示す図であり、（ａ）は前方から見た図、（ｂ）は側方から見た図である。
【図１４】嵌め込み式ジグの異なる例を示す図である。
【図１５】実施形態６に係る水準器を示す図である。
【図１６】歯科用咬合器が備えるリファレンス器具の全体斜視図である。
【符号の説明】
１０・・・歯科用咬合器、２０・・・下顎フレーム、３０・・・上顎フレーム、
２１・・・脚部、２２・・・顆頭球、３１、７１・・・顆頭球の案内路
４０、６０・・・切歯指導板、３２、３２’・・・切歯指導桿
４６、６６・・・支持部、４１、６１・・・本体フレーム、４２・・・台部、
４４、４５、６４、６５・・・調節つまみ、９４、１９４・・・水準器
【図１】
2004136072.tif 000003
【図２】
2004136072.tif 000004
【図３】
2004136072.tif 000005
【図４】
2004136072.tif 000006
【図５】
2004136072.tif 000007
【図６】
2004136072.tif 000008
【図７】
2004136072.tif 000009
【図８】
2004136072.tif 000010
【図９】
2004136072.tif 000011
【図１０】
2004136072.tif 000012
【図１１】
2004136072.tif 000013
【図１２】
2004136072.tif 000014
【図１３】
2004136072.tif 000015
【図１４】
2004136072.tif 000016
【図１５】
2004136072.tif 000017
【図１６】
2004136072.tif 000018